(57)【要約】【課題】  開放感ある柔かい仕切りを可能とするとともに、パネル形状などのデザイン設計の自由度を向上でき、さらに製作コスト及び作業効率も向上できる端パネルの取付構造を提供せんとする。【解決手段】  間仕切パネルの側端部４０に縦支柱２を配設し、この縦支柱２における前記間仕切パネルの取付部位２ａを除く外側面２０に縦方向に延びる溝部２１を形成し、縦支柱下端部２ｂにおける溝部２１の開口方向に床面に沿ってベース部３を突設し、薄板状の端パネル１を、その縦方向に沿った一側端縁１１を溝部２１に係合して、縦支柱２とベース部３とより形成される略Ｌ字状の支持体５に沿って一側端縁１１及び下端縁１２をそれぞれ支持させ、一側端縁１１及び下端縁１２以外の端縁１０を支持せず自由端とした。【選択図】        図２
2005113641.tif 000002
【特許請求の範囲】
【請求項１】
間仕切パネルの側端部に縦支柱を配設し、該支柱における前記間仕切パネルの取付部位を除く外側面に縦方向に延びる溝部を形成するとともに、前記縦支柱の下端部における前記溝部の開口方向に床面に沿ってベース部を突設し、薄板状の端パネルを、その縦方向に沿った一側端縁を前記溝部に係合して、前記縦支柱とベース部とより形成される略Ｌ字状の支持体に沿って前記一側端縁及び下端縁をそれぞれ支持させてなり、当該端パネルの前記一側端縁及び下端縁以外の端縁を、支持せず自由端としたことを特徴とする端パネルの取付構造。
【請求項２】
前記ベース部の上面に開口する溝部を形成し、前記端パネルの下端縁を前記溝部に係合して支持させてなる請求項１記載の端パネルの取付構造。
【請求項３】
前記縦支柱の溝部を、前記外側面の所定方向に開口させて一本、又は所定の二方向若しくは三方向に開口させて複数本形成してなる請求項１又は２記載の端パネルの取付構造。
【請求項４】
前記端パネルを、透明又は半透明な樹脂パネルで構成してなる請求項１〜３の何れか１項に記載の端パネルの取付構造。
【発明の詳細な説明】
【技術分野】
【０００１】
本発明は、衝立てやエンドパネルとして好適な端パネルの取付構造に関する。
【背景技術】
【０００２】
近年、オフィスの間仕切パネルシステムにおいては、オフィス形態に応じて様々なレイアウトに構成されており、衝立てとして平面視Ｌ字状やＴ字状に端パネルを突設したものがある（例えば、特許文献１参照。）。
特に、これら端パネルの一部又は全部に透過性のガラス板を用いることにより、採光性を高めたりして機能的、視覚的な変化を持たせているものも既に公知である（例えば、特許文献２参照。）。
【０００３】
ところで、従来設けられていた端パネルは、通常の間仕切パネルと同様、四辺を支柱や枠体等で支持されており、これら枠体等は開放感を阻害するとともに、端パネルの形状等のデザイン設計の自由度を制限するものであった。
【０００４】
【特許文献１】特開平９−１７１３４０号公報
【特許文献２】特開２００２−１３８６０６号公報
【発明の開示】
【発明が解決しようとする課題】
【０００５】
そこで、本発明が前述の状況に鑑み、解決しようとするところは、開放感ある柔かい仕切りを可能とするとともに、パネル形状などのデザイン設計の自由度を向上でき、さらに製作コスト及び作業効率も向上できる端パネルの取付構造を提供する点にある。
【課題を解決するための手段】
【０００６】
本発明は、前述の課題解決のために、間仕切パネルの側端部に縦支柱を配設し、該支柱における前記間仕切パネルの取付部位を除く外側面に縦方向に延びる溝部を形成するとともに、前記縦支柱の下端部における前記溝部の開口方向に床面に沿ってベース部を突設し、薄板状の端パネルを、その縦方向に沿った一側端縁を前記溝部に係合して、前記縦支柱とベース部とより形成される略Ｌ字状の支持体に沿って前記一側端縁及び下端縁をそれぞれ支持させてなり、当該端パネルの前記一側端縁及び下端縁以外の端縁を、支持せず自由端としたことを特徴とする端パネルの取付構造を構成した。
【０００７】
ここで、前記ベース部の上面に開口する溝部を形成し、前記端パネルの下端縁を前記溝部に係合して支持させてなるものが好ましい。
【０００８】
より具体的には、前記縦支柱の溝部を、前記外側面の所定方向に開口させて一本、又は所定の二方向若しくは三方向に開口させて複数本形成してなるものが好ましい。
【０００９】
また、前記端パネルを、透明又は半透明な樹脂パネルで構成してなるものが好ましい。
【発明の効果】
【００１０】
以上にしてなる本願発明に係る端パネルの取付構造によれば、端パネルの一側端縁及び下端縁以外の端縁が自由端となり、開放感ある柔かい仕切りが可能となる。
また、自由端であるためパネル形状などのデザイン設計の自由度も向上され、さらに製作コスト及び作業効率も向上する。
【００１１】
特に、ベース部の上面に開口する溝部を形成し、端パネルの下端縁を前記溝部に係合して支持させたので、容易かつ確実に端パネル下端縁を支持できる。
【００１２】
また、前記縦支柱の溝部を、前記外側面の所定方向に開口させて一本、又は所定の二方向若しくは三方向に開口させて複数本形成したので、さまざまな取付構造の形態が可能となる。
【００１３】
また、前記端パネルを、透明又は半透明な樹脂パネルで構成したので、採光性を高め、開放感をより向上させることができる。
【発明を実施するための最良の形態】
【００１４】
次に、本発明の実施形態を添付図面に基づき詳細に説明する。
【００１５】
図１は、間仕切パネルに端パネルを取付けた全体構成を示す図であり、図１〜８は本発明の代表的実施形態を示し、図中符号１は端パネル、２は縦支柱、３はベース部、４は間仕切パネルをそれぞれ示している。
【００１６】
本発明に係る端パネルの取付構造は、図１及び２に示すように、間仕切パネル４の側端部４０に縦支柱２を配設し、この縦支柱２における前記間仕切パネルの取付部位２ａを除く外側面２０に縦方向に延びる溝部２１を形成するとともに、前記縦支柱の下端部２ｂにおける前記溝部２１の開口方向に床面に沿ってベース部３を突設し、薄板状の端パネル１を、その縦方向に沿った一側端縁１１を前記溝部２１に係合して、前記縦支柱２とベース部３とより形成される略Ｌ字状の支持体５に沿って前記一側端縁１１及び下端縁１２をそれぞれ支持させ、当該端パネル１の前記一側端縁１１及び下端縁１２以外の端縁１０を、支持せず自由端としたことを特徴としている。
【００１７】
縦支柱２は、間仕切パネル４と略同一の高さ寸法を有し、本実施形態では鋼板を屈曲して断面視略コ字状に成形されているが、その他、図９及び図１０に示すように、アルミニウム等の押出し型材などで構成することもでき、また、断面形状も多角形状や半円形状などとしてもよい。
【００１８】
図３にも示すように、縦支柱２における上記外側面２０には、所定の三方向に開口する三本の溝部２１、・・・が縦方向に沿って形成されており、そのうちの一の溝部２１に端パネル１の一側端縁１１が係合して支持される。各溝部２１は、前記外側面２０の各面中央部に、内側壁に囲まれた底壁を備える凹溝状に屈曲形成されたものであり、この溝部２１に装着される断面視略コ字状のゴム製または合成樹脂製のパッキン２５に一側端縁１１を嵌め込んで当該端パネル１が係合されるとともに、使用しない他の溝部２１、２１を塞ぐために、裏面側に脚部２４ａ、２４ａを突設した断面視Π字状のカバー部材２４が、それぞれ前記脚部２４ａを溝部２１の内側壁に圧接して冠着されている。尚、前記溝部２１は、前記縦支柱２の二面接合部に形成される切欠溝として構成することも可能である。また、端パネルを一枚又は二枚のみ支持する場合は、該パネルを取り付ける所定の一又は二方向に開口させて溝部２１を形成し、他は形成せずに省略することも可能であり、さらに、前記パッキン２５を用いる代わりに接着剤やコーキング剤等を充填してもよく、別途ブラケット等を用いて溝部２１に固定してもよい。
【００１９】
間仕切パネル４に対向する取付部位２ａには、コ字状の両端縁を内方に屈曲させた一対の鍔条２３が形成されている。一方、間仕切パネル４側には、図示しない前後のブロックパネルを連結する同じく断面視略コ字状の連結杆４１が設けられており、該連結杆４１に対して前記縦支柱２が固定されている。具体的には、中央部に断面視コ字状に屈曲した凹条を形成し、この凹条底壁の縦方向に沿って複数の雌ネジ部５３を設けた支持板５０と、この支持板５０と略同一の巾を有する平板状の補強板５１とを前記縦支柱２内部に挿入するとともに、前記連結杆４１のブロックパネルで挟まれる内部空間側の開口縁部に当着する座板５２、当該連結杆４１及び前記補強板５１の通孔５５を貫通した取付ネジ５８を前記雌ネジ部５３に螺合することにより、前記支持板５０及び補強板５１を前記鍔条２３の内面側に引き付けて縦支柱２及び連結杆４１が固定される。本例では支持板５０に補強板５１を重ねて強度を確保しているが、支持板５０の凹条をより深く設定したり支持板５０の厚みを増す等により補強板５１を省略することも可能である。また、前記鍔条２３は前記補強板５１を係止できるものであれば、必ずしも縦方向に連続して形成する必要はない。
【００２０】
前記ベース部３は、端パネル１の下端縁１２を支持する地レールとして機能する板状部材であり、本例では矩形状に形成されているが、例えば傾斜或いは曲線状の端パネルを取付ける場合は、該パネルの下端形状に沿って、その上端形状を適宜決定すればよい。
【００２１】
前記ベース部３の縦支柱２への取付けは、図４にも示すように、ネジ孔３２ａ、３２ａを穿設した一端側を、前記縦支柱２の下端部２ｂに形成された下方に開放した凹溝２２に挿入するとともに、支持板５０の前記ネジ孔３２ａに対応する位置に通孔５４を形成し、該通孔５４に装着した取付ネジ５７、５７を前記ネジ孔３２ａに螺合することにより、当該支持板５０を介して縦支柱２の下端部に片持ち状に支持されている。前記凹溝２２は、上述の溝部２１の下端に連続するように形成され、該凹溝２２に挿着されるベース部３は前記溝部２１の開口方向に床面に沿って突設される。本例では、後述する各取付方向に対して当該ベース部３を共通使用できるように、ベース部一端側の側面と端面にそれぞれネジ孔３２ａ、３２ｂを穿設しておき、本例のように間仕切パネル４に対して直角の方向に突設する場合には、ネジ孔３２ａを用いて取付け、図５に示すように間仕切パネル４と一直線上に位置するように突設する場合は、ネジ孔３２ｂを用いて取付けることができる。支持板５０の通孔５４は、上述の雌ネジ部５３と同様、凹条の底壁に形成されるが、該支持板５０に重ねて装着される補強板５１には、該凹条に対応する部位に凹部５９を設けることにより、突出する取付ネジ５７の頭部を受け入れることができるように構成されている。
【００２２】
ベース部３上面には、端パネル１の下端縁１２を受け入れる溝部３１が形成されており、より詳しくは、両側壁に囲まれ、且つ端パネル下端面と略同一巾の底壁を有する凹溝状の溝部３１が上面中央の長手方向に沿って穿設され、該溝部３１の両側壁により端パネル１の下端が支持される。尚、溝部３１は、ベース部３の上面及び側面の二面接合部に形成される切欠溝として構成したり、ベース部３の側面にＬ字状のブラケットを突設して溝部を構成することも可能である。またこれら溝部以外の取付構造を採用してもよい。前記溝部３１は、前記縦支柱２に設けた溝部２１に連通しており、縦支柱２とベース部３とよりなる支持体５の内面に連続形成された溝部２１、３１に沿って、端パネル１の一側端縁１１及び下端縁１２がそれぞれ係合して支持され、縦支柱２は、間仕切パネル４の支柱と端パネル１の支柱を兼ねており、双方のパネルを支持することとなる。
【００２３】
前記ベース部３の一端側と他端側の底面には、それぞれネジ孔３３が穿設され、各ネジ孔３３にアジャスター脚３４が螺合されている。
端パネル１は、透明又は半透明な矩形状の樹脂パネルで構成されており、その他、ガラスパネルや金属製パネル等を採用でき、その形状も三角形や多角形、円弧状、雲形やその他の曲線形状、これらの組合せ形状などを適宜採用できる。
【００２４】
次に、本実施形態における端パネル１の取付手順について説明する。
【００２５】
まずベース部３を縦支柱２に取付けるべく、縦支柱２の内部に支持板５０を挿入するとともに、下端部に形成された凹溝２２よりベース部３の一端側を挿入し、前記支持板５０の通孔５４に装着した取付ネジ５７をネジ孔３２ａに螺合してベース部３を支持板５０に対して一体的に固定する。
【００２６】
次に、補強板５１を同じく縦支柱２の内部に挿入し、連結杆４１の開口縁部に当着する座板５２の通孔５６に装着した取付ネジ５８を、連結杆４１及び通孔５５を貫通させ、支持板５０の雌ネジ部５３に螺合して支持板５０を補強板５１とともに鍔条２３の内面側に引き付けて係着し、これにより連結杆４１、縦支柱２及びベース部３が一体的に固定される。縦支柱２に固定された連結杆４１の両面側には、それぞれ間仕切パネル４を構成する図示しないブロックパネルの端部が取り付けられる。
【００２７】
そして、略Ｌ字状に縦横に連続した溝部２１、３１に対し、端パネル１の側端縁１１及び下端縁１２をそれぞれ嵌め込み、特に、重力が作用しない端パネルの側端縁１１は、溝部２１にパッキン２５を介して強固に嵌め込まれる。端パネル１が位置しない他の溝部２１、２１には、カバー部材２４がそれぞれ冠着される。
【００２８】
図５〜７は、同一構造の縦支柱２及びベース部３を用いて、端パネル１を間仕切パネル４と一直線上に突設した場合の取付構造を示しており、当該方向に形成された凹溝２２に同じくベース部３の一端側を挿入し、端面に穿設されたネジ孔３２ｂを用いて取付ネジ５７により縦支柱２に片持ち支持させ、該ベース部３により端パネル下端縁１２を係合して支持させたものであり、同一構造には同一符号を付し、その他の詳細な説明は省略する。
【００２９】
図８（ａ）は、縦支柱２に対してベース部３を二方向に突設し、Ｌ字形状を２つ形成することで、端パネル１を２枚設けてなる他の実施例を示し、図８（ｂ）は、縦支柱２に対してベース部３を三方向に突設し、Ｌ字形状を３つ形成することで、端パネル１を３枚設けてなる他の実施例を示している。特に、図８（ｂ）では長尺の板状部材を貫通させて左右にベース部３を突設させ、略中央部に設けたネジ孔に取付ネジ５７で取付けたものであるが、他の取付構造とすることも勿論可能である。
【００３０】
図９及び図１０は、縦支柱２をアルミニウム等の押出し型材で構成した実施例を示しており、具体的には、同じくパッキン２５とともに端パネル１の一側端縁１１を抱持するための溝部２１として機能する凹条部６０を中央部に形成した外板部２６と、内部に挿入される上記ベース部３のネジ孔３２ｂに対応した位置に取付ネジ挿通用の通孔６１を有し、連結部材等を介して図示しない間仕切パネルの側端部に固定される当板部２７と、これら平行な外板部２６と当板部２７を内方所定の位置でそれぞれ連結する一対の連結板部２８、２８とより基本構成され、各連結板部２８外方の前記外板部２６及び当板部２７の端部間に、同じく端パネル１の一側端縁１１を抱持するための溝部２１として機能する凹条部２９が構成されている。
【００３１】
凹条部６０、２９には、それぞれ装着されるパッキン２５の外壁面に突出した凸条２５ａ、又はカバー部材２４の脚部に同じく突出しに突条に係合して、パッキン２５又はカバー部材２４の脱落を防止するための係合凹部６０ａ、２９ａが形成されており、同じく凹条部６０、２９の開口端部には、上記カバー部材２４の縁部を支持する段差部６０ｂ、２９ｂが形成されている。
【００３２】
また、本例の縦支柱２も同じく下端部に下方に開放した凹溝が形設されており、図１０（ａ）〜（ｃ）に示すように、ベース部３の一端側を挿入して通孔６１に装着した取付ネジ５７を前記ベース部３のネジ孔３２ａ又は３２ｂに螺合することにより、当該縦支柱２の下端部にベース部３が直接支持される。尚、本例では凹溝を形設した際に切り欠かれた連結板部２８の縁部２８ａが内側に突出した構造を有しており、これにより挿入されたベース部３は側面が各縁部２８ａに当接して安定保持されることになる。
【図面の簡単な説明】
【００３３】
【図１】本発明に係る端パネルを間仕切パネルに取付けた全体構成を示す斜視図。
【図２】同じく全体構成を示す分解斜視図。
【図３】取付構造の要部を示す部分断面図。
【図４】取付構造の要部を示す部分断面図。
【図５】本発明に係る端パネルを間仕切パネルと一直線上に取付けた全体構成を示す斜視図。
【図６】同じく一直線上に取付けた全体構成を示す分解斜視図。
【図７】取付構造の要部を示す部分断面図。
【図８】（ａ）及び（ｂ）は、それぞれ端パネルを２方向及び３方向に取付けた他の実施例を示す部分断面図。
【図９】縦支柱の他の例を示す断面図。
【図１０】（ａ）〜（ｂ）は、同じく他の例の縦支柱を用いた取付構造の要部を示す部分断面図。
【符号の説明】
【００３４】
１  端パネル
２  縦支柱
２ａ  取付部位
２ｂ  下端部
３  ベース部
４  間仕切パネル
５  支持体
１０  端縁
１１  側端縁
１２  下端縁
２０  外側面
２１  溝部
２２  凹溝
２３  鍔条
２４  カバー部材
２４ａ  脚部
２５  パッキン
２５ａ  凸条
２６  外板部
２７  当板部
２８  連結板部
２８ａ  縁部
２９  凹条部
２９ａ  係合凹部
２９ｂ  段差部
３１  溝部
３２ａ  ネジ孔
３２ｂ  ネジ孔
３３  ネジ孔
３４  アジャスター脚
４０  側端部
４１  連結杆
５０  支持板
５１  補強板
５２  座板
５３  雌ネジ部
５４  通孔
５５  通孔
５６  通孔
５７  取付ネジ
５８  取付ネジ
５９  凹部
６０  凹条部
６１  通孔
６０ａ  係合凹部
６０ｂ  段差部
６１  通孔
【図１】
2005113641.tif 000003
【図２】
2005113641.tif 000004
【図３】
2005113641.tif 000005
【図４】
2005113641.tif 000006
【図５】
2005113641.tif 000007
【図６】
2005113641.tif 000008
【図７】
2005113641.tif 000009
【図８】
2005113641.tif 000010
【図９】
2005113641.tif 000011
【図１０】
2005113641.tif 000012